(57)【要約】【目的】方向性を持たせて蚊取線香の煙を送ることができ、煙の量の多少を加減でき広狭の範囲に対応できる。雨天時も使用可能で、可搬性がある万能蚊取線香器を提供する。【構成】  容器本体１の内部に扉３で開閉される開口１ｏを通じて蚊取線香を置く底板４、棚６を出入り可能に設ける。ファン７の回転により吸気口１ａから吸込まれた外気は開口１ｎを通じて上昇し、隙間ｇをとおり、線香煙と混ざってファン７に吸込まれてファン７により仕切板２ｄ間、吹出口１ｃ−Ｃを通じて遠くまで線香煙を分散させる。底板４、棚６上の蚊取線香にはファンによる空気流は吹きつけないので蚊取線香は自然に燻焼する。屋根２があり雨天使用可能、取手２ｂにより持ち運べる。【選択図】  図９
0003148032.tif 000002
【実用新案登録請求の範囲】
【請求項１】
雨水の浸入を防止する屋根を有し、下部に吸気口、上下の中間に開閉可能な扉を備えた開口部、上部に線香煙吹出し口を備えた容器本体と、
前記開口部を通じて容器本体に着脱可能で、容器本体に支持され蚊取線香の載置と蚊取線香の燃えカスを受ける底板と、
底板上方において容器本体内に設けられ線香煙吹出し口へ送風するファンと、
容器本体の内周面と底板の周縁との間に設けられ吸気口から吸込まれた空気が底板の側方を上方に向って通過する隙間と、
容器本体内に設けられたファンの電源と、
電源とファンの間に設ける配線に介装し電源とファン間を接続又は断電状態を保持するスイッチ類と、
を有することを特徴とする万能蚊取線香器。
【請求項２】
前記開口部を通じて容器本体に着脱可能で底板のすぐ上で容器本体に支持され底板上に載置された１番目の蚊取線香の燻焼煙を通気可能であると共に２番目の蚊取線香の載置される網を外周枠内に備えた棚であって、外周枠が底板の周縁に接近すると共に容器本体の内周面との間に底板の側方を上方に向って通過する空気を通過させる隙間を形成する棚を有することを特徴とする請求項１に記載の万能蚊取線香器。
【考案の詳細な説明】
【技術分野】
【０００１】
この考案は除虫菊を主成分とする平面上において捲回した線状の蚊取線香を用いる万能蚊取線香器に関する。
【背景技術】
【０００２】
従来から渦巻状に成形された蚊取線香が賞用されている。蚊取線香は一般に渦巻状に捲回した外周側の端部に点火して自体の熱で燻焼状態で延焼して灰化している。蚊取線香器としては耐火性断熱材を敷きつめた皿状のものを床上等に載置するものがある。又、携帯用としては夫々に例えばポリイミド糸の網を張設した皿とふたを有し、これらの網間に蚊取線香を保持するものがある。また、線香立てもある。現在の蚊取線香は自然のなすが儘に煙が発生するのみで煙に方向性を持たせることが出来ない。又野外にあっては効力が弱く何個も使用しなければならない。又、水しぶきのとぶ場所、雨の降る時等でも使えなくなる。
【０００３】
蚊取線香ではなく電気ヒータで加熱することにより殺虫成分を蒸散させ、この殺虫気体をファンで分散させる蚊取器は商用電源から配線しなければならず可搬の範囲がコンセントからのコード長さに支配される。また、殺虫成分を用いた薬剤はのどをいためるものがある。
【０００４】
蚊取線香器としては例えば
【特許文献１】に示されている。
【特許文献１】特開２００１−３４６４９４号公報
【考案の開示】
【考案が解決しようとする課題】
【０００５】
従来の皿状の蚊取線香器
【特許文献１】に記載の蚊取線香立ては上記背景技術で述べた課題を含んだものである。
【０００６】
この考案は（１）蚊取線香に点火させれば従来通りに使用できる。（２）方向性を持たせて蚊取線香の煙を送ることができる。（３）煙を多く出したいときは多く出せる。（４）耐候性があり、雨仕舞いがされており、庭仕事や屋外工事等における蚊取に適する。（５）可搬性がある等を満足する万能蚊取線香器を提供することを目的とする。
【課題を解決するための手段】
【０００７】
この考案の請求項１に係る考案は雨水の浸入を防止する屋根を有し、下部に吸気口、上下の中間に開閉可能な扉を備えた開口部、上部に線香煙吹出し口を備えた容器本体と、
前記開口部を通じて容器本体に着脱可能で、容器本体に支持され蚊取線香の載置と蚊取線香の燃えカスを受ける底板と、
底板上方において容器本体内に設けられ線香煙吹出し口へ送風するファンと、
容器本体の内周面と底板の周縁との間に設けられ吸気口から吸込まれた空気が底板の側方を上方に向って通過する隙間と、
容器本体内に設けられたファンの電源と、
電源とファンの間に設ける配線に介装し電源とファン間を接続又は断電状態を保持するスイッチ類と、
を有することを特徴とする万能蚊取線香器である。
【０００８】
この考案の請求項２に係る考案は前記開口部を通じて容器本体に着脱可能で底板のすぐ上で容器本体に支持され底板上に載置された１番目の蚊取線香の燻焼煙を通気可能であると共に２番目の蚊取線香の載置される網を外周枠内に備えた棚であって、外周枠が底板の周縁に接近すると共に容器本体の内周面との間に底板の側方を上方に向って通過する空気を通過させる隙間を形成する棚を有することを特徴とする第１の考案に記載の万能蚊取線香器である。
【考案の効果】
【０００９】
請求項１に係る考案によれば、ファンを運転しなければ従来例の蚊取線香器として用いることができる。ファンを回転すると吹出口を通じて蚊取線香の煙が吹き出し、その煙を吹き出し口が向いている方向に送ることができる。蚊取線香の中心及び外周端部の夫々に点火することにより、より多くの煙を出すことができる。雨天となっても使用可能である。即ち、庭仕事や屋外工事の際の蚊取に適する。可搬性がある。
【００１０】
請求項２に係る考案によれば、蚊取線香の煙をより多く出したいときに対応できる。
【実施例】
【００１１】
蚊取線香に点火して発生する煙を蚊取線香煙又は線香煙もしくは燻焼煙と称するものとする。
【００１２】
以下、この考案の実施例を図面を用いて説明する。
【００１３】
図１から図３はこの考案の実施例の外観を示す三面図であって、図１は左側面図、図２は平面図、図３は正面図である。
【００１４】
容器本体１は前板１ｆ、後板１ｂ、妻側である側板１ｌ，１ｒ、屋根２を有し、全体としては中空で、ほぼ直方体である。容器本体１は下部の側面に吸気口１ａを有し、前板１ｆの上下の中間に開閉可能な扉３を設けた開口部１ｏを有し、上部に線香煙吹出口１ｃを有する。
【００１５】
ここで屋根２は容器本体１の長手方向（桁はないが桁方向）を棟２ａとする両流れ屋根であって周縁は庇となっている。屋根２の棟２ａの中央部に取手２ｂが棟２ａと一体または一体的に設けてある。
【００１６】
吸気口１ａは容器本体１の妻側である側板１ｌ，１ｒの下部に横方向に一列に配列した多数の丸穴であり容器本体１の内外を連通している。
【００１７】
扉３は片開き扉であってヒンジ３ａでもって容器本体１の上下方向の角に取り付けられ、戸先（開き端）にはつまみ３ｂが外面に設けられている。また、扉３の戸先には容器本体１の上下方向の角に係脱する板ばね、フック等の掛金３ｃを有する。容器本体１の前板１ｆに設けた開口部１ｏは後述の蚊取線香を載置する底板及び棚を容器本体１の外部から挿脱できる丁度の大きさ形状を有し、横長の方形である。
【００１８】
線香煙吹出口１ｃは図３のイ−イ拡大水平断面図の図１０に示すように符号１ｃ−Ａから１ｃ−Ｅを有する。吹出口１ｃ−Ｃの吹出し方向は容器本体１の前板１ｆに直角で水平方向を向いている。吹出口１ｃ−Ｂ，１ｃ−Ｄは吹出口１ｃ−Ｃの吹出し方向から左右に前板２ｆから見て放射方向に拡がる吹き出し方向を向いている。吹出口１ｃ−Ａ，１ｃ−Ｅは吹出口１ｃ−Ｂ，１ｃ−Ｄの吹出し方向から左右に放射方向に拡がる吹き出し方向を向いている。上記において、吹出口１ｃ−Ｂ，１ｃ−Ｃ，１ｃ−Ｄは容器本体１の前板１ｆに開口しており、吹出口１ｃ−Ａ，１ｃ−Ｅは容器本体１の両妻面である側板１ｌ，１ｒに開口している。吹出口１ｃ−Ａから１ｃ−Ｅは図１０の紙面に平行な水平方向を向いている。
【００１９】
図９は図１０のロ−ロ断面図である。吹出口１ｃ−ＡからＡｃ−Ｅを形成するため、屋根２裏に夫々仕切板２ｄ（２ｄ１から２ｄ６）が設けてある。仕切板２ｄは夫々が屋根２裏に上端が固定されたトタン製で板面が垂直方向を向いており、有底（符号２ｄｂ）である。各底２ｄｂは同一平面上に設けてある。
【００２０】
図９、図１０に示すように吹出口１ｃ−Ｃは万能蚊取線香器の正面から見て左右で対向する仕切板２ｄ３と２ｄ４間と同幅である。吹出口１ｃ−Ｃの高さは仕切板２ｄ３，２ｄ４の高さよりも小さい。本例では吹出口１ｃ−Ｃの高さは吹出口１ｃ−Ｃにおける仕切板２ｄ３，２ｄ４の高さの半分以下となっている。即ち、対向する仕切板２ｄ３，２ｄ４は線香煙と空気の混合気体のガイドとなっている。
【００２１】
上述した処は他の吹出口１ｃ−Ａ，１ｃ−Ｂ，１ｃ−Ｄ，１ｃ−Ｅと仕切板２ｄ１と２ｄ２間、２ｄ２と２ｄ３間、２ｄ４と２ｄ５間、２ｄ５と２ｄ６間との関係に当て嵌り、各対向する仕切板間は線香煙と空気の混合気体のガイドとなる。各吹出口１ｃは屋根２の庇の近くにある。これによって、雨水の吹出口１ｃへの侵入を防止していると共に庇を含めた屋根裏を上記混合気体のガイドとしている。
【００２２】
図６は開口部１ｏに相当する位置の正面図である図３の紙面に平行な容器本体１を含む断面図である。
【００２３】
容器本体１の開口部１ｏの下方側において容器本体１に設けられた蚊取線香の載置と蚊取線香の燃えカスを受ける底板４が設けてある。底板４は有底の浅い方形皿状である。
【００２４】
開口部１ｏ下縁と上下方向の同位置に水平な平板の隔壁である底板受け１ｅが設けてある。底板受け１ｅは方形であって左右の両縁が側板１ｌ，１ｒに夫々固着されている。底板受け１ｅの前後縁（長辺）は容器本体１の前板１ｆ、後板１ｂとは隙間ｇが設けてある。この隙間ｇは例えば５ミリメートルである。
【００２５】
図４に示すように底板受け１ｅは底板４と平面で見て外形が同様であり、底板受け１ｅの符号は図４において括弧書してある。底板受け１ｅの左右の両縁部端（底板受け１ｅの短辺の端）１ｅ１は方形の平板から前後方向に突出して前板１ｆ、後板１ｂに達している。平板の底板受け１ｅの平面からその短辺側をわずかに上方へ突出してガイドレールとすれば好適である。
【００２６】
蚊取線香５は除虫菊を主成分とする成形品で線間に間をあけて平面上で方形に捲回した断面梯形の線状である。従来例の蚊取線香は渦巻の中心側端部は太くされて線香立ての二又舌片が差し込まれるようになっているが、本例の蚊取線香５は梯形の等断面であるが両端部５ａ，５ｂが点火し易いように先細となっている。中心部の端部５ｂを先細としてある理由は、外側の端部５ａに点火しただけでは燻焼による線香煙が少ないのを多くしたいときに、両端部５ａ，５ｂに点火し易いためである。
【００２７】
蚊取線香５は平板の周縁を上方へ折曲した四角い皿状の底板４の底に置かれた不燃性断熱材例えばグラスウールのシート１３上に置かれる。方形の底板４の短辺は容器本体１の妻側の内距よりもやや小さい。底板受け１ｅ上に底板４を載置した際に容器本体１の前板（この場合は扉３）、後板１ｂ夫々と底板４の長辺との間に夫々隙間ｇを生ずるようになっている。この隙間ｇを空気分開口と称するものとする。この隙間ｇを確実に設けるために底板４の短辺の両端部に突起４ａを設ける。両突起４ａ，４ａ先端間距離は扉３と後板１ｂ間の距離となっている。突起４ａの高さは底板４の周縁の高さと等しいことが望ましい。
【００２８】
図６に示すように本例では底板４上方に間をおいて底板４に平行して上下方向に通気可能で蚊取線香５を載置できる棚６を取外し可能に有する。
【００２９】
図５に示すように、棚６は底板４と外形状及び寸法は同じである。棚６は板金製の外周枠６ａ内にラチス網６ｂを全面にわたって張設したものである。棚６は平面でみて底板４の突起４ａと同位置に突起６ｃを備えている。ラチス網６ｂは例えばポリイミド等の伝熱性の低い素材、耐火材が好適であるが、金属線製によることもできる。ラチス網６ｂ上には蚊取線香５が載置される。ラチス網６ｂに点火された蚊取線香５が置かれるのは大量の線香煙が要求される場合である。ラチス網６ｂのメッシュはラチス網６ｂ上で灰化した蚊取線香がそのまま静止状態ではラチス網６ｂを通じて下方へ篩い落されない程度である。容器本体１の側板１ｌ，１ｒ内面には前後方向にレール１ｇ，１ｇが設けられている。このレール１ｇ，１ｇに棚６の短辺側が支持されて開口部１ｏを通じて棚６が容器本体１に着脱される。
【００３０】
棚６間の外周枠６ａは断面Ｌ形であり、その垂直板部６ａ−１は棚６の最外周に配設され、その水平板部６ａ−２は垂直板部６ａ−１の内周側に配設される。水平板部６ａ−２は皿状の底板４の周縁４ｂに接近している。これにより、底板４と棚６の周縁から内側へ空気を通り難くしてある。棚６の長手方向の垂直板部６ａ−１と前板１ｆ（ここでは扉３）、後板１ｂとの間は小隙間ｇが設けてある。水平板部６ａ−２の上面にラチス網６ｂの周辺が固定されている。
【００３１】
図１１はファン７及びその支持を示す正面図、図１２は図１１の平面図である。底板４の上方において容器本体１内にはファン７が設けられている。容器本体１内には横架材として平面で見て十字形にファン支持枠１ｈ，１ｉが設けられファン支持枠１ｈ，１ｉの交点に設けたボス１ｊの中心穴には竪形のファンモータ７ａが嵌入して支持されている。支持枠１ｈ，１ｉのとおっていない容器本体１内は開口１ｓとなっている。
【００３２】
図３に示すように、容器本体１の前板１ｆにはガラスののぞき窓８が設けてある。のぞき窓８はファン７を側面から見る位置に有り、容器本体１の前板１ｆ側から見てファン支持枠１ｈ，１ｉのすぐ上に設けてある。従って、ファン７が回転しているかどうかを目視できる。
【００３３】
図７、図８は容器本体１内に設けられた電源９（図３参照）を見る底面図と縦断面図である。図８に示すように、底板受け１ｅの下方には底板受け１ｅを底として底板受け１ｅと一体的に方形の筐体である電池ケース１ｋが設けてある。電池ケース１ｋは下方に向って開口している。電池ケース１ｋ内には電源９として電池１１が着脱可能に納められている。電池１１は正極負極両端を図示されないばねを兼ねた端子で加圧されることにより、下方へ落ちないように保持されている（加圧手段は図示されない）。電池１１は単一規格の乾電池である。
【００３４】
電池ケース１ｋの短辺側にヒンジ１２ａで開閉自在に取り付けられたカバー１２の先端（戸先）には板ばね１２ｂが設けられている。板ばね１２ｂ近くでカバー１２の外部側にはつまみ１２ｃが設けてある。図８においてカバー１２をヒンジ１２ａを中心にして時計回りに回動すると、板ばね１２ｂが電池ケース１ｋの短辺の内側に入るとき加圧されてカバー１２は閉じた状態で保持される。図７に示すように電池ケース１ｋの下側の周縁と一体にこの周縁の外側に板面が水平な板材の下板１ｑが設けてある。下板１ｑは長手方向の両端（短辺）が容器本体１の側板１ｌ，１ｒに固定されている。下板１ｑの長辺側の縁１ｍと容器本体１の前板１ｆ、後板１ｂ夫々との間は開口１ｎとなっている。
【００３５】
図８に示すように、容器本体１の前板１ｆ、後板１ｂ、側板１ｌ，１ｒは下板１ｑよりも下方へ延びて夫々の下縁は折曲されて折曲部分は座部１ｐとなっている（前板１ｆ、後板１ｂ側は図示されない）。
【００３６】
前述した吸込口１ａは下板１ｑよりも下方で側板１ｌ，１ｒに設けてある。従って吸込口１ａと開口１ｎ間は連通している。
【００３７】
電池１１から操作盤１４を介してファンモータ７ａに配線されている。操作盤１４は押ボタンスイッチ１４ａ，１４ｂ，１４ｃ，１４ｄを有する。押ボタンスイッチ１４ａはファンモータ７ａを最低速で回転させる回路を導通させ吹出口１ｃからは微風を吹き出す。押ボタンスイッチ１４ｂはファンモータ７ａを中速で回転させる回路を導通させ吹出口１ｃからは中速度の風を吹き出す。押ボタンスイッチ１４ｃはファンモータ７ａを高速で回転させる回路を導通させ吹出口１ｃからは強風を吹き出す。押ボタンスイッチ１４ｄは保持されている他の押ボタンスイッチ１４ａ〜１４ｃの保持を解除して、ファンモータ７ａへの回路を断電する。
【００３８】
上記において、電池１１、操作盤１４、底板４の底に敷く不燃性断熱シート１３、棚６に張設される耐熱性網を除く部材はブリキ等の薄鉄板で作られている。この薄鉄板の厚さは、０．４ミリメートル以内である。
【００３９】
次に各部材の大きさを夫々ミリメートルで表わすとする。
【００４０】
屋根２を除く容器本体１の大きさは長さ２２０、幅１３０、高さ１５５である。屋根２は容器本体１の上縁から全周にわたり庇として２０突出している。屋根２の高さは１０、取手２ｂの高さは３０である。下板１ｑの長辺の縁と容器本体１との開口１ｎは１０、底板４、棚６の長辺と容器本体１との間の隙間ｇは５、各吹出口１ｃは幅５０、高さ１２である。仕切板２ｄ１から２ｄ６の高さは吹出口１ｃの高さよりも夫々高い（図９参照）。
【００４１】
上記構成の作用を説明する。万能蚊取線香器は可搬性がある。また、雨仕舞されているので屋外でも使える。使用の準備として先ず、万能蚊取線香器を倒立して、つまみ１２ｃを板ばね１２ｂによる力に抗して引くとヒンジ１２ａを中心にしてカバー１２が開く。ここで電池１１を電池ケース１ｋに挿入し、扉１２を板ばね１２ｂのばね力に抗して閉じる。これによって電池１１は電池ケース１ｋに保持されると共にカバー１２の板ばね１２ｂのばね力によるカバー１２の保持によっても、カバー１２が電池１１に接して電池１１の移動が確実に止められる。
【００４２】
次に万能蚊取線香器を正立させて、床又は机等の水平は部分に置く。扉３の先端（戸先）を容器本体１に係止している掛金３ｃを外し、扉３のつまみ３ｂを図３において手前へ引くと扉３はヒンジ３ａを中心にして外方へ開いて開口部１ｏが開口する。すると図６のように、底板４、棚６が見える。底板４は手前に引くと底板受け１ｅ上を滑って引き出されて容器本体１外に持ち出される。棚６は手前に引くとレール１ｇ，１ｇ上を滑って引き出され容器本体１外に出される。
【００４３】
底板４と棚６の使い方は選択的である。蚊取線香５を２つ使用する場合は、底板４、棚６に夫々点火した蚊取線香を置く。蚊取線香５を１つだけ用いる場合は点火した蚊取線香５を底板４又は棚６上に載置する。
【００４４】
燃焼方法としては蚊取線香５の両端部５ａ，５ｂの何れか又は両者に点火する。
【００４５】
上記底板４、棚６と蚊取線香５の燃焼方法を組合わせると点火点が１から４個所選択できる。従って、狭い室内で用いる場合には１つの蚊取線香５の端部５ａ又は５ｂの何れかに点火して用いる。やや広い場所では１つの蚊取線香５の両端部に点火して用いるか、２つの蚊取線香５の夫々の端部５ａ，５ｂの何れか１つを点火して用いる。広い場所では点火は３個所とする。そのため、２個の蚊取線香５の内１つは両端部５ａ，５ｂに夫々点火し、他の１つは両端部５ａ，５ｂの何れか１つに点火して用いる。屋外等又は広間等の広い場所では２個の蚊取線香５の４個所の総ての端部５ａ，５ｂに点火して用いる。
【００４６】
上記のように点火した蚊取線香５を載置した底板４及び棚６は開口部１ｏを通じ容器本体１内に挿入する。そのとき、底板４は底板受け１ｅ上を滑り、棚６はレール１ｇ，１ｇ上を滑り、容器本体１内に納まる。ここでつまみ３ｂを持って扉３をヒンジ３ａを中心にして回動して閉め、掛金３ｃを図示されない容器本体１側の受金に掛けると扉３は開口部１ｏを閉じる。
【００４７】
ファン７が停止している状態では底板４上の自然燻焼状態の蚊取線香５の煙は棚６のラチス網６ｂ間を通じて上昇する。ラチス網６ｂ上の自然燻焼状態の蚊取線香５の煙はそのまま上昇する。上記煙は開口１ｓを通じて上昇し、夫々仕切板２ｄ間を通り、屋根２に接近している吹出口１ｃ（１ｃ−Ａ，１ｃ−Ｂ，１ｃ−Ｃ，１ｃ−Ｄ，１ｃ−Ｅ）から外部に出る。外部に出た線香煙は屋根２の庇先を回って上昇する。
【００４８】
線香煙は仕切板２ｄと屋根２にガイドされるので庇先ではファン７による風力で水平方向の到達距離が変化する。押ボタンスイッチ１４ａ，１４ｂ，１４ｃの何れか１つを押すと、電池１１からファンモータ７ａに給電される。ファンモータ７ａの回転方向はファン７の回転により上昇方向の空気流が生ずる方向である。ファン７の回転によりファン７の下方は負圧となるので吸気口１ａを通って吸込まれた外気は電池ケース１ｋの周辺の開口１ｎ、底板４の傍の隙間ｇ、棚６の傍の隙間ｇを通って上昇し、ファン７の回りの開口１ｓを通ってファン７に達した後はファン７に吸込まれ加速され各仕切板２ｄ１と２ｄ２間、２ｄ２と２ｄ３間、２ｄ３と２ｄ４間、２ｄ４と２ｄ５間、２ｄ５と２ｄ６間をとおり上昇し、屋根２裏に導かれて各吹出口１ｃ（１ｃ−Ａ，１ｃ−Ｂ，１ｃ−Ｃ，１ｃ−Ｄ，１ｃ−Ｅ）に達して外部に出る。一方この空気に底板４、棚６上の蚊取線香５から生じて上昇する線香煙が混入する。
【００４９】
ファン７の回転速度に応じて吹出口１ｃから吹き出す線香煙を含む空気は水平面で見て放射方向であるが該空気の拡散する範囲が異なる。線香煙は温度上昇しているので上方へ向っても拡散する。
【００５０】
ファン７による吸込流は底板４の傍の隙間ｇをとおって上昇する際の、隙間ｇが小さいことによる速度のある上昇流によって、棚６の傍の隙間ｇを殆んど通過する。なんとなれば、図６に示すように棚６の外周枠６ａの下縁と底板４の周壁の周縁４ｂとは接近しているためである。これによって、底板４上にはファン７による空気の流れは殆んどない。又、ファン７による吸引力はラチス網６ｂを通過させる空気流を生じることがないか微弱なものである。従って、底板４、棚６上の蚊取線香５に過大に空気が供給されて蚊取線香５が急速に燃え尽きるということがないく、蚊取線香は自然燻焼に近い燃焼状態である。
【００５１】
以上のとおりであるので、この万能蚊取線香器によれば、蚊取線香に点火すれば従来通りに使用できる。方向性を持たせて蚊取線香の煙を送ることができる。例えば、建物の壁際に壁に後板１ｂを対向して万能蚊取線香を置く、放射方向に線香煙を送ることができる。広い範囲に線香煙を出したい。多くの線香煙を出したいときは２つの蚊取線香を用いる。更に点火点を増すこともできる。ファンの速度調整と線香煙の発生量を組合わせることにより、広狭の場所に対応できる。対候性があり、雨仕舞いされており、庭仕事や屋外工事等における蚊取りに適当である。屋根上の取手を持って何処へでも運べる可搬性がある。
【図面の簡単な説明】
【００５２】
図面は何れも実施例を示し
【図１】この考案の実施例の外観を示す側面図である。
【図２】図１の平面図である。
【図３】図１の正面図である。
【図４】底板の平面図である。
【図５】棚の平面図である。
【図６】底板及び棚の縦断面図である。
【図７】電源部の底面図である。
【図８】電源部の縦断面図である。
【図９】図１０のロ−ロ断面図である。
【図１０】図３のイ−イ断面図である。
【図１１】ファン回りを示す縦断面図である。
【図１２】図１１の平面図である。
【符号の説明】
【００５３】
１…  容器本体  １ａ…吸気口  １ｂ…後板  １ｃ…線香煙吹出口  １ｃ−Ａ〜１ｃ−Ｅ…吐出口  １ｅ…底板受け  １ｅ１…縁部端  １ｆ…前板  １ｇ…レール  １ｈ，１ｉ…ファン支持枠  １ｊ…ボス  １ｋ…電池ケース  １ｌ…側板１ｍ…縁  １ｎ…開口  １ｏ…開口部  １ｐ…座部  １ｑ…下板  １ｒ…側板  １ｓ…開口
２…屋根  ２ａ…棟  ２ｂ…取手  ２ｄ（２ｄ１〜２ｄ６）仕切板  ２ｄｂ…底
３…扉  ３ａ…ヒンジ  ３ｂ…つまみ  ３ｃ…掛金    
４…底板  ４ａ…突起  ４ｂ…周縁
５…蚊取線香  ５ａ，５ｂ…端部  
６…棚  ６ａ…外周枠  ６ａ−１…垂直板部  ６ａ−２…水平板部  ６ｂ…ラチス網  ６ｃ…突起
７…ファン  ７ａ…ファンモータ
８…のぞき窓
９…電源
１１…電池
１２…カバー  １２ａ…ヒンジ  １２ｂ…板ばね  １２ｃ…つまみ
１３…シート
１４…操作盤  １４ａ〜１４ｄ…押ボタンスイッチ
ｇ…隙間
【図１】
0003148032.tif 000003
【図２】
0003148032.tif 000004
【図３】
0003148032.tif 000005
【図４】
0003148032.tif 000006
【図５】
0003148032.tif 000007
【図６】
0003148032.tif 000008
【図７】
0003148032.tif 000009
【図８】
0003148032.tif 000010
【図９】
0003148032.tif 000011
【図１０】
0003148032.tif 000012
【図１１】
0003148032.tif 000013
【図１２】
0003148032.tif 000014